(57)【要約】      （修正有）【課題】折り畳んで運搬が容易であるとともに、ガードレールがなくても簡単に設定できる移動式草刈用飛散防止専用ネットを提供する。【解決手段】ポリエチレン製の３００ｄ（デニール）、１ｍｍ目合いのネット素材を使用して、およそ４０００ｍｍ×１０００ｍｍで５Ｋｇ程度の軽量とし、長尺ネットの周辺をターポリン加工して枠補強して面強度を持たせるとともに、この軽量ネットを横長の支持棒１１とベルト１６を介して作業者が首に掛け下げ、左右でバランスさせて保持して移動可能とする。【選択図】図１
0003220878.tif 000002
【実用新案登録請求の範囲】
【請求項１】
長尺のネット部材(10)と、長尺のネット部材(10)の上端を支持する支持棒(11)と、作業者に装着され、支持棒（11）の中心を吊下げ保持する首掛けベルト(16)とからなり、草刈現場の道路沿いに作業人が起立して上記支持棒の中心部を首掛けベルトで支持する一方、支持棒の両側部を両手で天秤棒様に支持して移動式とし、草刈移動時に飛び石飛散を防護するための移動式防護ネットであって、上記長尺のネット部材(10)は、例えばポリエチレン製の３００ｄ（デニール）、１ｍｍ目合いにより、およそ４０００ｍｍ×１０００ｍｍで５Kg程度の軽量となし、そのネット部材（10）周辺をターポリン加工部（14）により枠補強して弛みなく張設可能に構成し、その上部長辺はターポリン加工上に一定間隔で形成されたハトメ（14a）を介して吊下げリング(15)を取り付け、該吊り下げリング（15）を介して上記支持棒(11)に挿通して上記ネット部材(10)を上記支持棒(11)に沿ってスライドして取り付け、水平長手方向に広げて張設する一方、該ネット部材の下部長辺にターポリン加工上に一定間隔で形成されたハトメ（14a）を介して一定間隔で垂直方向に重力を付与する複数のゴム製ネット重し(13 ・・・) を備えることを特徴とする移動式草刈用飛散防ネット。 
【請求項２】
上記ターポリン加工部（14）がターポリン素材のウエルダー加工である請求項1記載の移動式草刈用飛散防止用ネット。
【考案の詳細な説明】
【技術分野】
【０００１】
この考案は、例えばポリエチレン製の３００ｄ（デニール）、１〜４ｍｍ目合い、およそ４０００ｍｍ×１０００ｍｍで５Kg程度の軽量の、長尺ネットをターポリン加工して枠補強した、草刈時に飛散する飛び石の飛散を防護する移動式草刈用飛散防止ネットに関する。
【背景技術】
【０００２】
従来、道路際および道路センターラインの分離帯における草刈作業は高速回転する草刈刃が誤って小石や空き缶を飛散させ、道路を通行する自動車および人間を傷つける場合が少なくない。そのため、近年飛び石等の飛散事故を防止するため、道路わきの草を刈り取る作業の際に、電動刈取機で草を刈る作業者とは別の作業者が、コンパネ、ベニヤ等の板材を路側に立ててこれを保持し、この板材を保持した作業者が、草刈り作業の進行に伴って移動し、飛散防止を行っている。しかしながら、飛び石等の飛散距離は草刈位置の前方５メートル以上に及び、これに見合う長尺の板材等を保持し、草刈り作業とともに、前方に移動する作業は重労働である。そこで、車輪移動式で、草や小石等の飛散を防止する防止ネットが提案されている（例えば、特許文献１）。これは、金属フレームの内部にネットを張り、持ち運びのための持手を付けると共に、別体の駆体に重ね合わせて使用することにより、車輪による自走を可能としたものであるが、四角形のフレームにネットを張っているために嵩張り、持ち運びに不便で、作業現場までの搬送の際に、荷台を有するトラック等を必要とするという問題があった。また、自立自走させることが前提であるため、サイズをそれほど大きくできず、そのため、草刈り作業の進行に伴って頻繁に移動させなくてはならず、草刈り作業が度々中断されるという問題があった。そこで、道路わきのガードレール等の柵体を利用すべくガードレールに、スライド可能に係止可能な係合部をネットに一定間隔で設置させることにより、ガードレールに沿って拡縮可能となし特に草刈作業の進行方向の長手方向に、広範囲にわたって延在させる防護ネットが提案されている（特許文献２）。しかしながら、すべての草刈位置にガードレールが設置されているわけでなく、利用範囲が極めて限定されるという不具合がある。
【先行技術文献】
【特許文献】
【０００３】
【特許文献１】実用新案登録第３１０７６４９号公報
【特許文献２】特開２００７−３７４２７号
【考案の開示】
【考案が解決しようとする課題】
【０００４】
そこで、本考案は折り畳んで運搬が容易であるとともに、ガードレールがなくても簡単に設定できる移動式草刈用飛散防止専用ネットを提供することを課題とし、鋭意検討の結果、軽量ネットを横長の支持棒で保持し、中央で吊り下げベルトに吊り下げ、左右でバランスさせ保持する形式が移動式に保持出来て好ましいが、作業実施の結果、支持棒で横長に張設されるネットが一定の表面強度を有しなければ、飛散防止ネットとして不十分であることを見出した。
【課題を解決するための手段】
【０００５】
本考案は、例えばポリエチレン製の３００ｄ（デニール）、１〜４ｍｍ目合いのネット素材を使用すると、およそ４０００ｍｍ×１０００ｍｍで５Kg程度の軽量となすことができ、しかも軽量の長尺ネットでも周辺をターポリン加工して枠補強すると、面強度が飛散防止ネットとしては十分となることを見出したもので、
長尺のネット部材(10)と、長尺のネット部材(10)の上端を支持する支持棒(11)と、作業者に装着され、支持棒（11）の中心を吊下げ保持する首掛けベルト(16)とからなり、草刈現場の道路沿いに作業人が起立して上記支持棒の中心部を首掛けベルトで支持する一方、支持棒の両側部を両手で支持して天秤棒様に移動式とし、草刈移動時に飛び石飛散を防護するための移動式防護ネットであって、上記長尺のネット部材(10)は、例えばポリエチレン製の３００ｄ、１〜４ｍｍ目合いにより、およそ４０００ｍｍ×１０００ｍｍで５Kg程度の軽量となし、そのネット部材（10）周辺をターポリン加工により枠補強して弛みなく張設可能に構成し、上部長辺はターポリン加工上に一定間隔で形成されたハトメ（14）を介して吊下げリング(15)を取り付け、上記支持棒(11)に挿通して上記ネット部材(10)を上記支持棒(11)に沿ってスライドして取り付け、水平長手方向に広げて張設する一方、該ネット部材の下部長辺にもターポリン加工し、その上に一定間隔で形成されたハトメ（14）を介して一定間隔で垂直方向に重力を付与する複数のゴム製ネット重し(13 ・・・) を備えることを特徴とする移動式草刈用飛散防ネットにあり、特に上記ターポリン加工は好適な枠強度上ターポリン素材のウエルダー加工であるのが好ましい。
【考案の効果】
【０００６】
本考案のネットは例えばポリエチレンの３００ｄ、１〜４ｍｍ目合いにより、およそ４０００ｍｍ×１０００ｍｍで５Kg程度の軽量であるが、ターポリン加工によりネット部材の周囲を枠補強したので、ガードレールのない場所でも横方向に広がって、草刈移動に伴って張設した状態で、作業者一人で移動可能である。しかもネットは、ターポリン加工により軽量長尺のネット部材の周囲を枠補強したので、ターポリン加工した下端部に間隔をおいて配置した重しにより、強風でもあおりがないので、飛散防止ミスがない。
【図面の簡単な説明】
【０００７】
【図１】本考案の一実施形態の防護ネットの正面図である。
【図２】防護ネットの持ち運び保持状態を示す説明図である。
【考案を実施するための最良の形態】
【０００８】
本考案は草刈現場の道路沿いに設置され、草刈時に飛び石飛散を防護するための移動式防護ネットであって、ポリエチレンの３００ｄ、１〜４ｍｍ目合いにより、およそ４０００ｍｍ×１０００ｍｍで５Kg程度の軽量で、図1に示すように直径５ｍｍ以上の小石は不通過であるが風透過性を有するネット部材１０である。このネット部材１０を支持する長さ４ｍの伸縮支持棒１１を備える。図2に示すように、この支持棒は、作業者の首から、吊げる首掛けベルト１６で中央部で保持されてなり、作業者は支持棒１１の左右を両手に持ってバランスさせ移動させる移動式防護ネットを構成する。
【０００９】
上記ネット部材１０は、その周囲がターポリン加工部１４とされ、枠補強される。ネット素材の周辺をターポリン素材で挟んでウエルダー加工で接着するのが枠強度上好ましい。このネット部材１０の上部長辺には、ターポリン加工部14上に一定間隔でハトメ
１４aと吊下げリング１５が取り付けられている。他方、上記支柱棒１１は伸縮性で２ｍから４ｍの長尺とすることができる。そこで、この長尺とした支持棒１１にハトメ１４aに係り止めした吊り下げリング１５を挿通して上記ネット部材１０を上記支持棒１１に沿ってスライドして拡縮可能であるから、水平長手方向に広げて張設し、端部を締結紐１２で固定すると、組み立てが完成する。組み立てが完成すると、図２に示すように中央ジョイントの位置にある吊り下げリング１５に背負いベルト１６の取付けフック１６ａを引っ掛け保持するとともに、両手で左右の支持棒１１を把持して持ち上げると、バランスよく持ち上げられ、運搬移動が容易である。
【００１０】
一方、該ネット部材の下部長辺にもターポリン加工が施され、枠補強がされているので、その上に一定間隔で垂直方向に重力を付与する複数のゴム製重し１３、・・・を備え、該ネット重し１３はネット部材の張設時には地上にあってネット部材には実質的に重力を与えずネット部材の風圧による吹き上がり時にはターポリン加工が枠強度を付与し、そこに重力を付与するので、効率よく吹き上がりを防止可能である。ネット重し１３には、円錐台形状のゴム重しが用いられ、連結紐等によりネット部材下端に取り付けられるのがよい。
【符号の説明】
【００１１】
１０ 防護ネット部材 １１ 支持棒 １４  ターポリン加工部、１５ 吊り下げリング
１６ 首下げベルト
【図１】
0003220878.tif 000003
【図２】
0003220878.tif 000004
【手続補正書】
【提出日】平成31年2月12日(2019.2.12)
【手続補正１】
【補正対象書類名】実用新案登録請求の範囲
【補正対象項目名】全文
【補正方法】変更
【補正の内容】
【実用新案登録請求の範囲】
【請求項１】
長尺のネット部材(10)と、長尺のネット部材(10)の上端を支持する支持棒(11)と、作業者に装着され、支持棒（11）の中心を吊下げ保持する首掛けベルト(16)とからなり、草刈現場の道路沿いに作業人が起立して上記支持棒の中心部を首掛けベルトで支持する一方、支持棒の両側部を両手で天秤棒様に支持して移動式とし、草刈移動時に飛び石飛散を防護するための移動式草刈用飛散防止ネットであって、上記長尺のネット部材(10)は、例えばポリエチレン製の３００ｄ（デニール）、１ｍｍ目合いにより、およそ４０００ｍｍ×１０００ｍｍで５Kg程度の軽量となし、そのネット部材（10）周辺をターポリン加工部（14）により枠補強して弛みなく張設可能に構成し、その上部長辺はターポリン加工上に一定間隔で形成されたハトメ（14a）を介して吊下げリング(15)を取り付け、該吊り下げリング（15）を介して上記支持棒(11)に挿通して上記ネット部材(10)を上記支持棒(11)に沿ってスライドして取り付け、水平長手方向に広げて張設する一方、該ネット部材の下部長辺にターポリン加工上に一定間隔で形成されたハトメ（14a）を介して一定間隔で垂直方向に重力を付与する複数のゴム製ネット重し(13 ・・・) を備えることを特徴とする移動式草刈用飛散防止ネット。 
【請求項２】
上記ターポリン加工部（14）がターポリン素材のウエルダー加工である請求項1記載の移動式草刈用飛散防止ネット。